(57)【要約】【課題】調理容器を加熱する加熱部それぞれの加熱を調節するためのダイヤルノブを有する誘導加熱調理器において、調理容器とダイヤルノブとの接触の可能性を低減する。【解決手段】誘導加熱調理器１０は、調理容器が載置される載置面１４ａを備えるトッププレート１４と、トッププレート１４の外周縁を保持し、筐体１２に取り付けられ、且つ前側部１６ａがトッププレート１４の載置面１４ａに比べて高い位置から前方に向かって下がる傾斜面である頂面１６ｂを備えるトップフレーム１６と、トッププレート１４の下方に左右方向に並んで配置されるように筐体１２に収容され、調理容器を誘導加熱する第１および第２の加熱部１８Ａ、１８Ｂと、トップフレーム１６における頂面１６ｂ上に配置されるダイヤルノブ３４をそれぞれ備え、第１および第２の加熱部１８Ａ、１８Ｂそれぞれの加熱を調節するための第１および第２のダイヤル式操作デバイス３２Ａ、３２Ｂとを有する。【選択図】図３
2020123541.tif 000002
【特許請求の範囲】
【請求項１】
筐体と、
前記筐体の上側に配置され、調理容器が載置される載置面を備えるトッププレートと、
前記トッププレートの外周縁を保持し、前記筐体に取り付けられ、且つ前側部が前記トッププレートの載置面に比べて高い位置から前方に向かって下がる傾斜面である頂面を備えるトップフレームと、
前記トッププレートの下方に左右方向に並んで配置されるように前記筐体に収容され、前記調理容器を誘導加熱する第１および第２の加熱部と、
前記トップフレームにおける前記頂面上に配置されるダイヤルノブをそれぞれ備え、前記第１および第２の加熱部それぞれの加熱を調節するための第１および第２のダイヤル式操作デバイスと、を有する、誘導加熱調理器。
【請求項２】
上方視で、前記第１および第２の加熱部それぞれの中心を通過して前後方向に延在する第１および第２の仮想直線に対してオーバーラップするように、前記第１および第２のダイヤル式操作デバイスそれぞれのダイヤルノブが前記トップフレームの前記頂面に設けられている、請求項１に記載の誘導加熱調理器。
【請求項３】
上方視で、前記第１および第２のダイヤル式操作デバイスそれぞれのダイヤルノブの回転中心線が前記第１および第２の仮想直線の間に位置するように、前記第１および第２のダイヤル式操作デバイスそれぞれのダイヤルノブが前記トップフレームの前記頂面に設けられている、請求項２に記載の誘導加熱調理器。
【請求項４】
前記ダイヤルノブは、前記トップフレームの前記頂面における上端と下端との間の中心線に対して前側の前記頂面の部分を前記ダイヤルノブの回転中心線が通過するように、前記トップフレームの前記頂面に設けられている、請求項１から３のいずれか一項に記載の誘導加熱調理器。
【請求項５】
前記第１および第２のダイヤル式操作デバイスは、前記ダイヤルノブが前記トップフレームの前記頂面に対して進退する押しボタン構造を備える、請求項１から４のいずれか一項に記載の誘導加熱調理器。
【請求項６】
前記第１および第２のダイヤル式操作デバイスは、前記ダイヤルノブと係合する入力軸を備えるロータリーエンコーダを含み、
前記ダイヤルノブが、前記ロータリーエンコーダの前記入力軸に対して着脱可能である、請求項１から５のいずれか一項に記載の誘導加熱調理器。
【請求項７】
前記第１および第２のダイヤル式操作デバイスは、前記ダイヤルノブが無制限に回転可能に構成され、
前記トップフレームの前記頂面に設けられ、前記第１および第２の加熱部の加熱レベルおよび加熱温度の少なくとも一方を表示する表示デバイスを有する、請求項１から６のいずれか一項に記載の誘導加熱調理器。
【請求項８】
前記表示デバイスが、液晶表示デバイスである、請求項７に記載の誘導加熱調理器。
【請求項９】
前記第１および第２のダイヤル式操作デバイスは、前記ダイヤルノブを介して前記第１および第２の加熱部の加熱時間を設定するタイマー設定機能を備え、
前記タイマー設定機能に切り替えるための操作ボタンが、前記トップフレームの前記頂面に設けられている、請求項７または８に記載の誘導加熱調理器。
【請求項１０】
前記第１および第２の加熱部の加熱レベルを提示するインジケータを有し、
前記インジケータが、前記ダイヤルノブを部分的に囲むように前記トップフレームの前記頂面に設けられ、前記第１および第２の加熱部の加熱レベルに応じた輝度で点灯する複数のＬＥＤを備える、請求項１から９のいずれか一項に記載の誘導加熱調理器。
【請求項１１】
前記筐体に収容されたグリル庫と、
前記トップフレームの前記頂面上に配置されるダイヤルノブを含み、前記グリル庫内の温度を調整するための第３のダイヤル式操作デバイスと、を備える、請求項１から１０のいずれか一項に記載の誘導加熱調理器。
【発明の詳細な説明】
【技術分野】
【０００１】
本発明は、誘導加熱調理器に関する。
【背景技術】
【０００２】
特許文献１には、調理容器に対する加熱をダイヤルノブを回すことによって調節可能な誘導加熱調理器が開示されている。
【先行技術文献】
【特許文献】
【０００３】
【特許文献１】特開２００９−１６３８９９号公報
【発明の概要】
【発明が解決しようとする課題】
【０００４】
しかしながら、特許文献１の誘導加熱調理器の場合、調理容器が載置される天板（トッププレート）の載置面に対して前方に位置し、その載置面に比べて高い位置で水平方向に延在する操作パネル上にダイヤルノブが配置されている。そのため、ユーザが調理容器を天板の載置面に載置するときに、その調理容器がダイヤルノブに接触する（引っ掛かる）可能性が高い。特に、調理容器を誘導加熱する複数の加熱コイル（加熱部）が左右方向に並び、その複数の加熱コイルの加熱をそれぞれ調節するための複数のダイヤルノブが設けられている場合、調理容器とダイヤルノブとの接触の可能性が高い。すなわち、複数の加熱コイルそれぞれの上方に移動するまでの調理容器の移動経路が多数あって、加えてダイヤルノブが複数存在するために、調理容器とダイヤルノブとの接触の可能性が高い。例えば、ある加熱コイルの上方に調理容器を配置するときに、そのある加熱コイル以外の加熱コイルの加熱を調節するためのダイヤルノブに調理容器が接触する可能性がある。
【０００５】
そこで、本発明は、調理容器を加熱する複数の加熱部が左右方向に並び、その加熱部それぞれの加熱を調節するためのダイヤルノブが複数個存在する誘導加熱調理器において、調理容器とダイヤルノブとの接触の可能性を低減することを課題とする。
【課題を解決するための手段】
【０００６】
上述の課題を解決するために、本発明の一態様によれば、
筐体と、
前記筐体の上側に配置され、調理容器が載置される載置面を備えるトッププレートと、
前記トッププレートの外周縁を保持し、前記筐体に取り付けられ、且つ前側部が前記トッププレートの載置面に比べて高い位置から前方に向かって下がる傾斜面である頂面を備えるトップフレームと、
前記トッププレートの下方に左右方向に並んで配置されるように前記筐体に収容され、前記調理容器を誘導加熱する第１および第２の加熱部と、
前記トップフレームにおける前記頂面上に配置されるダイヤルノブをそれぞれ備え、前記第１および第２の加熱部それぞれの加熱を調節するための第１および第２のダイヤル式操作デバイスと、を有する、加熱調理器が提供される。
【発明の効果】
【０００７】
本発明によれば、調理容器を加熱する複数の加熱部が左右方向に並び、その加熱部それぞれの加熱を調節するためのダイヤルノブが複数個存在する誘導加熱調理器において、調理容器とダイヤルノブとの接触の可能性を低減することができる。
【図面の簡単な説明】
【０００８】
【図１】本発明の一実施の形態に係る誘導加熱調理器の上面図
【図２】誘導加熱調理器の側面図
【図３】誘導加熱調理器の分解斜視図
【図４】誘導加熱調理器の操作パネルを示す図
【図５】ダイヤル式操作デバイスの断面図
【図６】ダイヤル式操作デバイスの分解斜視図
【図７】ダイヤルノブが取り外された状態の誘導加熱調理器を示す斜視図
【図８】比較例におけるトップフレームの前側部における頂面を示す図
【発明を実施するための形態】
【０００９】
本発明の一態様の加熱調理器は、筐体と、前記筐体の上側に配置され、調理容器が載置される載置面を備えるトッププレートと、前記トッププレートの外周縁を保持し、前記筐体に取り付けられ、且つ前側部が前記トッププレートの載置面に比べて高い位置から前方に向かって下がる傾斜面である頂面を備えるトップフレームと、前記トッププレートの下方に左右方向に並んで配置されるように前記筐体に収容され、前記調理容器を誘導加熱する第１および第２の加熱部と、前記トップフレームにおける前記頂面上に配置されるダイヤルノブをそれぞれ備え、前記第１および第２の加熱部それぞれの加熱を調節するための第１および第２のダイヤル式操作デバイスと、を有する。
【００１０】
このような態様によれば、調理容器を加熱する複数の加熱部が左右方向に並び、その加熱部それぞれの加熱を調節するためのダイヤルノブが複数個存在する誘導加熱調理器において、調理容器とダイヤルノブとの接触の可能性を低減することができる。
【００１１】
例えば、上方視で、前記第１および第２の加熱部それぞれの中心を通過して前後方向に延在する第１および第２の仮想直線に対してオーバーラップするように、前記第１および第２のダイヤル式操作デバイスそれぞれのダイヤルノブが前記トップフレームの前記頂面に設けられてもよい。これにより、調理容器がフライパンなどの長い柄を備える場合、その柄に対して邪魔にならないようにダイヤルノブを設けることができる。
【００１２】
例えば、上方視で、前記第１および第２のダイヤル式操作デバイスそれぞれのダイヤルノブの回転中心線が、前記第１および第２の仮想直線の間に位置するように、前記第１および第２のダイヤル式操作デバイスそれぞれのダイヤルノブが前記トップフレームの前記頂面に設けられてもよい。これにより、第１および第２の加熱部の両方を同時に使用している場合、対応する２つのダイヤルノブ間をユーザの指が素早く移動することができ、ユーザの使用性が向上する。
【００１３】
前記ダイヤルノブは、前記トップフレームの前記頂面における上端と下端との間の中心線に対して前側の前記頂面の部分を前記ダイヤルノブの回転中心線が通過するように、前記トップフレームの前記頂面に設けられてもよい。これにより、調理容器とダイヤルノブの接触の可能性をより低減することができる。さらに、使用者が操作するダイヤルと加熱された調理容器との距離をもたせることができるため、やけどなどの恐れを低減することができる。
【００１４】
例えば、前記第１および第２のダイヤル式操作デバイスは、前記ダイヤルノブが前記トップフレームの前記頂面に対して進退する押しボタン構造を備えてもよい。ダイヤル式操作デバイスが押しボタンとしても機能することにより、別途、押しボタンをトップフレームの頂面に設ける必要がなくなり、外観の煩雑化を防ぐことができる。
【００１５】
例えば、前記第１および第２のダイヤル式操作デバイスは、前記ダイヤルノブと係合する入力軸を備えるロータリーエンコーダを含んでもよく、その場合、前記ダイヤルノブが、前記ロータリーエンコーダの前記入力軸に対して着脱可能であってもよい。これにより、ダイヤルノブとトップフレームの頂面との間に侵入した液体を、ダイヤルノブを取り外してふき取ることができる。また、ダイヤルノブ自体の清掃を容易に行うことができる。
【００１６】
例えば、前記第１および第２のダイヤル式操作デバイスは、前記ダイヤルノブが無制限に回転可能に構成されてもよい。この場合、前記トップフレームの前記頂面に設けられ、前記第１および第２の加熱部の加熱レベルおよび加熱温度の少なくとも一方を表示する表示デバイスを有するのが好ましい。これにより、表示デバイスを介して第１および第２の加熱部の加熱レベルをユーザは知ることができる。
【００１７】
例えば、前記表示デバイスが、液晶表示デバイスであってもよい。これにより、加熱部に関する情報をより多くユーザに提示することができる。
【００１８】
例えば、前記第１および第２のダイヤル式操作デバイスは、前記ダイヤルノブを介して前記第１および第２の加熱部の加熱時間を設定するタイマー設定機能を備えてもよい。この場合、前記タイマー設定機能に切り替えるための操作ボタンが、前記トップフレームの前記頂面に設けられているのが好ましい。第１および第２のダイヤル式操作デバイスによってタイマー設定が可能であるため、タイマー設定するためのデバイスを別途設ける必要がなくなる。
【００１９】
例えば、前記第１および第２の加熱部の加熱レベルを提示するインジケータを有してもよい。この場合、前記インジケータが、前記ダイヤルノブを部分的に囲むように前記トップフレームの前記頂面に設けられ、前記第１および第２の加熱部の加熱レベルに応じた輝度で点灯する複数のＬＥＤを備えるのが好ましい。これにより、加熱レベルを少ないＬＥＤで細かいレベルでユーザに提示することができる。
【００２０】
例えば、前記筐体に収容されたグリル庫と、前記トッププレートの前記頂面上に配置されるダイヤルノブを含み、前記グリル庫内の加熱を調整するための第３のダイヤル式操作デバイスと、を備えていてもよい。これにより、ユーザは、すべての調理加熱の調節を上方から操作することが可能となり、さらにその操作状況を上方から容易に視認することができる。
【００２１】
以下、本発明の実施の形態について、図面を参照しながら説明する。
【００２２】
図１は、本発明の一実施の形態に係る誘導加熱調理器の上面図である。また、図２は、誘導加熱調理器の側面図である。さらに、図３は、誘導加熱調理器の分解斜視図である。
【００２３】
図１〜図３に示すように、本実施の形態に係る誘導加熱調理器１０は、筐体１２と、筐体１２の上側に配置されるトッププレート１４と、トッププレート１４の外周縁を保持して筐体１２に取り付けられるトップフレーム１６と、トッププレート１４の下方に配置されるように筐体１２に収容された第１および第２の加熱部１８Ａ、１８Ｂとを有する。
【００２４】
筐体１２は、図３に示すように、例えば金属材料から作製され、上側に開口１２ａを備えるボックス状である。
【００２５】
トッププレート１４は、図１に示すように、例えば四角形状のガラス板から作製され、誘導加熱調理器１０の加熱対象である調理容器Ｗ１、Ｗ２が載置される平坦な載置面１４ａを備える。また、トッププレート１４は、図３に示すように、筐体１２の開口１２ａを覆うように、筐体１２の上側に配置されている。
【００２６】
トップフレーム１６は、図１および図３に示すように、例えば金属材料から作製された部材であって、トッププレート１４の外周縁を保持するように取り付けられている。また、トップフレーム１６は、筐体１２とビス締めにより取り付けられる。
【００２７】
なお、トップフレーム１６は、例えば調理容器から吹きこぼれた液体がトッププレート１４から流れ落ちないように、また、調理容器自体がトッププレート１４から滑り落ちないように、トッププレート１４の載置面１４ａに比べて高い位置に頂部を備えて堤防（ストッパ）として機能する。
【００２８】
第１および第２の加熱部１８Ａ、１８Ｂは、図３に示すように、例えば調理容器Ｗ１、Ｗ２を誘導加熱する誘導加熱コイルであって、トッププレート１４の下方に左右方向に並んだ状態で配置されている。本実施の形態の場合、第１および第２の加熱部１８Ａ、１８Ｂは、これらの加熱を制御する制御基板２０に搭載され、その制御基板２０が筐体１２内に収容されている。
【００２９】
なお、本実施の形態の場合、図３に示すように、魚などの食材を収容して加熱するグリル庫２２が、筐体１２に搭載されている。グリル扉２２ａを前方に引き出すことにより、グリル庫２２内に食材を投入することができる。
【００３０】
図１〜図３に示すように、第１および第２の加熱部１８Ａ、１８Ｂの加熱をユーザが調節するための操作パネル３０が、誘導加熱調理器１０に設けられている。
【００３１】
図１〜図３に示すように、誘導加熱調理器１０の操作パネル３０は、トップフレーム１６の前側部１６ａに設けられている。具体的には、トップフレーム１６の前側部１６ａが備える頂面１６ｂにユーザによって操作される操作デバイスやユーザに情報を提示する表示デバイスを設けることにより、操作パネル３０は構成されている。
【００３２】
図４は、誘導加熱調理器の操作パネルを示している。
【００３３】
図４に示すように、操作パネル３０（すなわちトップフレーム１６の前側部１６ａにおける頂面１６ｂ）には、第１の加熱部１８Ａの加熱を調節するための第１のダイヤル式操作デバイス３２Ａ、第２の加熱部１８Ｂの加熱を調節するための第２のダイヤル式操作デバイス３２Ｂ、およびグリル庫２２内の加熱を調節するための第３のダイヤル式操作デバイス３２Ｃが設けられている。第１〜第３のダイヤル式操作デバイス３２Ａ〜３２Ｃの構成は、実質的に同一であるため、第１のダイヤル式操作デバイス３２Ａのみについて説明を行う。
【００３４】
図５は、ダイヤル式操作デバイスの断面図である。図６は、ダイヤル式操作デバイスの分解斜視図である。
【００３５】
図５に示すように、ダイヤル式操作デバイス３２Ａは、本実施の形態の場合、ユーザがつまんで回すダイヤルノブ３４と、ダイヤルノブ３４の回転量に対応する信号を制御基板２０に出力するロータリーエンコーダ３６とを含んでいる。この場合、ダイヤルノブ３４は、金属から形成される外観部であるカバー３４ａが、樹脂で形成された内側部であるつまみ３４ｂに接着されており、つまみ３４ｂには、板バネ３４ｃが挿入されることで、構成されている。
【００３６】
ダイヤルノブ３４は、ロータリーエンコーダ３６の入力軸３６ａと係合するように構成されている。本実施の形態の場合、金属製の入力軸３６ａを保護する樹脂製のキャップ部材３８を介して、ダイヤルノブ３４は入力軸３６ａに取り付けられている。キャップ部材３８は入力軸３６ａに対して圧入されている。ダイヤルノブ３４は、図７に示すように、キャップ部材３８に対して着脱可能に取り付けられている。また、ダイヤルノブ３４の板バネ３４ｃがキャップ部材３８に形成された溝３８ａに係合することにより、ダイヤルノブ３４とキャップ部材３８が一体となって回転する。これにより、図５に示すように、ダイヤルノブ３４とトップフレーム１６の前側部１６ａにおける頂面１６ｂとの間に液体Ｌが侵入したときに、その侵入した液体Ｌをダイヤルノブ３４を外してふき取ることができる。なお、第１〜第３のダイヤル式操作デバイス３２Ａ〜３２Ｃそれぞれのダイヤルノブ３４は同一であってもよいし、異なっていてもよい。
【００３７】
また、ダイヤルノブ３４の下に侵入した液体Ｌがロータリーエンコーダ３６の本体部３６ｂに到達しないように、環状のシール部材４０が設けられている。具体的には、ロータリーエンコーダ３６の本体部３６ｂが、トップフレーム１６の前側部１６ａにおける頂面１６ｂに接触した状態のシール部材４０によって囲まれている。そのシール部材４０は、ロータリーエンコーダ３６の本体部３６ｂに形成されたねじ部３６ｃに係合するナット４２と、ナット４２とシール部材４０との間に配置された皿ばね４４によってトップフレーム１６の前側部１６ａにおける頂面１６ｂに向かって付勢されている。さらに、このようなシール部材４０に対して、キャップ部材３８が回転中心線ＣＲを中心として回転可能にスナップ係合している。
【００３８】
このようなキャップ部材３８は、ロータリーエンコーダ３６を、液体Ｌから保護している。また、シール部材４０は、下側の小径部４０ａと上側の大径部４０ｂとを備える。大径部４０ｂは小径部４０ａよりも直径が大きい。大径部４０ｂは、小径部４０ａの外周面から、シール部材４０の径方向外側に向かって張り出すように設けられている。また、キャップ部材３８には、内周面の一部に突起３８ｂを有しており、外径部４０ｂの外周面と、キャップ部材の突起３８ｂとが、係合することによって取り付けられている。そのため、ダイヤルノブ３４を着脱しても、キャップ部材３８はロータリーエンコーダの入力軸３６ａから外れることはない。
【００３９】
ダイヤルノブ３４の下に侵入した液体Ｌは、小径部４０ａの外周面を伝って上っていくことがあるが、その場合にも、液体Ｌは、大径部４０ｂの外周面に沿って移動し、再びトッププレーム１６へと落下する。したがって、本実施の形態では、液体Ｌがキャップ部材３８の内部に侵入しにくくなり、ロータリーエンコーダ３６が液体Ｌから保護される。
【００４０】
また、シール部材４０の小径部４０ａの下面には、環状凸部４０ｃが形成されている。また、トップフレーム１６の下方には、第１〜第３のダイヤル式操作デバイス３２Ａ〜３２Ｃ等を保持するキートップ１７と呼ばれる板状体が配置されている。キートップ１７の上面には、環状溝１７ａが形成されている。環状凸部４０ｃは、キートップ１７の環状溝１７ａにはめ込まれる。これにより、液体Ｌが小径部４０ａの下方から侵入した場合も、液体Ｌを環状溝１７ａに沿ってロータリーエンコーダ３６から離間した位置に排出させることができる。したがって、ロータリーエンコーダ３６が液体Ｌから保護される。
【００４１】
ユーザがダイヤルノブ３４を回転させると、ロータリーエンコーダ３６は、その回転量に応じた信号を制御基板２０に向かって出力する。制御基板２０上の回路やプロセッサが、受け取った信号に基づいて、すなわちダイヤルノブ３４の回転量に基づいて、そのダイヤルノブ３４に対応する第１および第２の加熱部１８Ａ、１８Ｂの出力またはグリル庫２２内の加熱を制御する。
【００４２】
本実施の形態の場合、第１〜第３のダイヤル式操作デバイス３２Ａ〜３２Ｃは、第１および第２の加熱部１８Ａ、１８Ｂとグリル庫２２における加熱時間を設定できるように構成されている（すなわちタイマー設定機能を備える）。具体的には、ダイヤルノブ３４をユーザが回転させると、制御基板２０上の回路やプロセッサが、ダイヤルノブ３４の回転量に対応するカウント時間を設定し、そのカウント時間からゼロに向かってカウントし始め、ゼロになると加熱を停止する。
【００４３】
加熱を調節するための第１〜第３のダイヤル式操作デバイス３２Ａ〜３２Ｃをタイマー設定可能な状態に切り替えるために（すなわち加熱調節機能からタイマー設定機能に切り替えるために）、図４に示すように、操作パネル３０（すなわちトップフレーム１６の前側部１６ａにおける頂面１６ｂ）には、そのための操作ボタン４６Ａ〜４６Ｃが設けられている。操作ボタン４６Ａ〜４６Ｃがユーザによって押されると、第１〜第３のダイヤル式操作デバイス３２Ａ〜３２Ｃの機能が、加熱調節機能からタイマー設定機能に切り替わる。
【００４４】
また、タイマー設定機能について、長時間のカウント時間を設定できるように、第１〜第３のダイヤル式操作デバイス３２Ａ〜３２Ｃは、ダイヤルノブ３４（本実施の形態の場合には、ロータリーエンコーダ３６の入力軸３６ａ）が無制限に回転可能に構成されてもよい。
【００４５】
なお、ダイヤルノブ３４が無制限に回転する場合、ユーザは、ダイヤルノブ３４を見ただけでは、第１および第２の加熱部１８Ａ、１８Ｂの現在の加熱レベルを知ることができない。そのために、図４に示すように、現在の加熱レベルをユーザに提示するためのインジケータ４８Ａ、４８Ｂが、操作パネル３０（すなわちトップフレーム１６の前側部１６ａにおける頂面１６ｂ）に設けられている。
【００４６】
図４に示すように、インジケータ４８Ａ、４８Ｂは、対応するダイヤルノブ３４を部分的に囲むようにトップフレーム１６の前側部１６ａにおける頂面１６ｂに設けられた複数のＬＥＤ５０を有する。ＬＥＤ５０は、複数の異なるレベルの輝度で点灯することができる。インジケータ４８Ａ、４８Ｂは、第１および第２の加熱部１８Ａ、１８Ｂの加熱レベルを、点灯するＬＥＤ５０の個数と、その点灯するＬＥＤ５０それぞれの輝度レベルとによって表現する。例えば、ＬＥＤ５０が１０個あって各ＬＥＤ５０が３段階の輝度レベルで点灯する場合、インジケータ４８Ａ、４８Ｂは、加熱レベルを３０段階で表現することができる。これにより、ＬＥＤ５０の輝度が変わらない場合に比べて、ＬＥＤ５０の総数を少なくすることができる。なお、操作パネル３０（すなわちトップフレーム１６の前側部１６ａにおける頂面１６ｂ）であって、第３のダイヤル操作デバイス３２Ｃのダイヤルノブ３４の周囲にも、インジケータ４８Ａ、４８Ｂと同様の構成のインジケータが配置されてもよい。このインジケータによって、グリル庫２２における加熱レベルをユーザに提示してもよい。
【００４７】
また、本実施の形態の場合、第１および第２の加熱部１８Ａ、１８Ｂの加熱レベル、それに加えてグリル庫２２内の温度を数値でユーザに提示するために、図４に示すように、操作パネル３０（すなわちトップフレーム１６の前側部１６ａにおける頂面１６ｂ）に、表示デバイス５２Ａ〜５２Ｃが設けられている。表示デバイス５２Ａ、５２Ｂは、第１および第２の加熱部１８Ａ、１８Ｂの加熱レベルを数値で表示する。また、表示デバイス５２Ｃは、グリル庫２２内の温度を数値で表示する。なお、表示デバイス５２Ａ、５２Ｂに、第１および第２の加熱部１８Ａ、１８Ｂとトッププレート１４との間に設けられた温度センサ（図示せず）の検出温度、すなわち加熱温度を表示してもよい。また、表示デバイス５２Ａ〜５２Ｃは、加熱レベルや温度以外の情報、例えばタイマーの残り時間を表示してもよい。様々な情報や多くの情報を表示するために、例えば加熱レベル、加熱温度、およびタイマーの残り時間全てを表示するために、表示デバイス５２Ａ〜５２Ｃは液晶表示デバイスが好ましい。
【００４８】
さらに、本実施の形態の場合、第１〜第３のダイヤル式操作デバイス３２Ａ〜３２Ｃは、押しボタン構造を備える。具体的には、そのダイヤルノブ３４がトップフレーム１６の前側部１６ａにおける頂面１６ｂに対して進退するように構成されている。本実施の形態の場合、ロータリーエンコーダ３６の入力軸３６ａが、本体部３６ｂに対して回転中心線ＣＲの延在方向に進退するように、ロータリーエンコーダ３６が構成されている。ダイヤルノブ３４がユーザによって押されると、制御基板２０上の回路やプロセッサは、例えば、第１および第２の加熱部１８Ａ、１８Ｂ、グリル庫２２の加熱を停止させる。ダイヤル式操作デバイスが押しボタンとしても機能することにより、別途、押しボタンをトップフレーム１６の前側部１６ａにおける頂面１６ｂに設ける必要がなくなる。
【００４９】
図２および図３に示すように、調理容器が載置されるトッププレート１４の載置面１４ａは、前後方向および左右方向、すなわち水平方向に広がる面である。一方、第１〜第３のダイヤル式操作デバイス３２Ａ〜３２Ｃが設けられているトップフレーム１６の前側部１６ａにおける頂面１６ｂは、水平面ではなく傾斜面である。
【００５０】
具体的には、図２に示すように、トップフレーム１６の前側部１６ａにおける頂面１６ｂは、トッププレート１４の載置面１４ａに比べて高い位置から前方に向かって下がるように傾斜する傾斜面である。このように、第１〜第３のダイヤル式操作デバイス３２Ａ〜３２Ｃが設けられる頂面１６ｂを傾斜させる理由について、比較例を挙げて説明する。
【００５１】
図８は、比較例におけるトップフレームの前側部における頂面を示す図である。
【００５２】
図８に示すように、比較例の加熱調理器のトップフレーム１１６の前側部１１６ａにおける頂面１１６ｂは、トッププレート１４の載置面１４ａと同様に、水平方向に広がる面である。このような頂面１１６ｂに対して、ダイヤル式操作デバイスのダイヤルノブ１３４が配置されている。なお、図中においては、本実施の形態の誘導加熱調理器１０における頂面１６ｂとダイヤルノブ３４が二点鎖線で示されている。
【００５３】
図８に示すように、水平方向に広がる頂面１１６ｂに設けられている比較例のダイヤルノブ１３４の前側部は、前傾している頂面１６ｂに設けられている本実施の形態のダイヤルノブ３４の前側部に比べて高所に位置する。具体的には、比較例のダイヤルノブ１３４の頂面の前側部は、本実施の形態のダイヤルノブ３４の頂面の前側部に比べて、ΔＨだけ高所に位置する。
【００５４】
そのため、比較例のダイヤルノブ１３４の場合、調理容器をトッププレート１４の載置面１４ａにユーザが載置するときに、その調理容器がダイヤルノブ１３４の前側部に対して接触する（引っ掛かる）可能性が高い（本実施の形態のダイヤルノブ３４に比べて）。例えば、水が入った調理容器をトッププレート１４の載置面１４ａにユーザが載置するときにその調理容器がダイヤルノブ１３４に接触すると、ユーザは調理容器内の水をまき散らす可能性がある。
【００５５】
このような接触の可能性を低減するために、本実施の形態の場合、第１〜第３のダイヤル式操作デバイス３２Ａ〜３２Ｃが設けられるトッププレート１６の前側部１６ａにおける頂面１６ｂは前傾している。これにより、本実施の形態は、ユーザによってトッププレート１４の載置面１４ａに載置される調理容器とダイヤルノブ３４との接触の可能性を低減している。
【００５６】
調理容器とダイヤルノブ３４との接触の可能性をより低減するために、ダイヤルノブ３４は、その少なくとも半分を、トッププレート１６の前側部１６ａにおける頂面１６ｂの前側半分に設けるのが好ましい。本実施の形態の場合、図１に示すように、ダイヤルノブ３４は、頂面１６ｂにおける上端と下端との間の中心線ＣＬに比べて前側の頂面１６ｂの部分をダイヤルノブ３４の回転中心線ＣＲが通過するように、その頂面１６ｂに設けられている。
【００５７】
また、本実施の形態の場合、調理容器、特に、図１に示すように、上方視で誘導加熱調理器１０の外部まで突出する長い柄Ｗｈを備えるフライパンなど調理容器Ｗ１、Ｗ２が使用されることを考慮して、第１および第２のダイヤル式操作デバイス３２Ａ、３２Ｂの設置位置が決められている。
【００５８】
具体的には、図１に示すように、フライパンなどの長い柄Ｗｈを備える調理容器Ｗ１、Ｗ２を使用する場合、ユーザは、その長い柄Ｗｈが誘導加熱調理器１０の前後方向に延在しないように、すなわち前後方向に対して非平行になるように、その調理容器Ｗ１、Ｗ２をトッププレート１４に載置することが多い。これは、ユーザ自身とその調理容器Ｗ１、Ｗ２の長い柄Ｗｈとの接触を回避するためである。
【００５９】
このことを考慮し、第１および第２のダイヤル式操作デバイス３２Ａ、３２Ｂは（そのダイヤルノブ３４）は、図１に示すように、上方視で第１および第２の加熱部１８Ａ、１８Ｂの中心Ｃ１、Ｃ２を通過して前後方向に延在する第１および第２の仮想直線ＶＬ１、ＶＬ２に対してオーバーラップしている。すなわち、フライパンなどの調理容器Ｗ１、Ｗ２の長い柄Ｗｈが存在する可能性が低い位置に、ダイヤルノブ３４が設けられている。逆の観点から言えば、ダイヤルノブ３４により、前後方向以外の方向に長い柄Ｗｈが延在するような調理容器Ｗ１、Ｗ２のトッププレート１４の載置面１４ａに対する載置を、ユーザに促している。
【００６０】
また、第１および第２の仮想直線ＶＬ１、ＶＬ２に対してダイヤルノブ３４がオーバーラップしているため、第１および第２の加熱部１８Ａ、１８Ｂの実質的に前方に、対応するダイヤルノブ３４が存在することになる。その結果、調理容器Ｗ１、Ｗ２がトッププレート１４に載置されているとき（すなわち、第１および第２の加熱部１８Ａ、１８Ｂの上方に配置されているとき）、その調理容器に対する加熱を調節することができるダイヤルノブを、ユーザは直感的にすぐに知ることができる。
【００６１】
それに加えて、本実施の形態の場合、第１および第２のダイヤル式操作デバイス３２Ａ、３２Ｂそれぞれのダイヤルノブ３４は、互いに接近するように配置されている。すなわち、上方視で、第１および第２のダイヤル式操作デバイス３２Ａ、３２Ｂそれぞれのダイヤルノブ３４の回転中心線ＣＲが、第１および第２の仮想直線ＶＬ１、ＶＬ２の間に位置する。これにより、第１および第２の加熱部１８Ａ、１８Ｂの両方を同時に使用している場合、２つのダイヤルノブ３４間をユーザの指が素早く移動することができ、ユーザの使用性が向上する。
【００６２】
また、本実施の形態の場合、第３のダイヤル式操作デバイス３２Ｃのダイヤルノブ３４は、第１および第２のダイヤル式操作デバイス３２Ａ、３２Ｂそれぞれのダイヤルノブ３４の間に配置されている。これにより、第１および第２の加熱部１８Ａ、１８Ｂの上方に調理容器Ｗ１、Ｗ２が載置される場合に、調理容器Ｗ１、Ｗ２の柄が第３のダイヤル式操作デバイス３２Ｃのダイヤルノブ３４に接触する可能性を低減できる。また、３つのダイヤルノブ３４間の距離が短くなるため、ユーザの指が素早く移動することができ、ユーザの使用性が向上する。
【００６３】
以上のような本実施の形態によれば、調理容器を加熱する複数の加熱部が左右方向に並び、その加熱部それぞれの加熱を調節するためのダイヤルノブが複数個存在する誘導加熱調理器において、調理容器とダイヤルノブとの接触の可能性を低減することができる。
【００６４】
以上、上述の実施の形態を挙げて本発明を説明したが、本発明は上述の実施の形態に限定されない。
【００６５】
例えば、上述の実施の形態の場合、第１〜第３のダイヤル式操作デバイス３２Ａ〜３２Ｃは、第１および第２の加熱部１８Ａ、１８Ｂの加熱レベルの調節、グリル庫２２内の温度の調節、タイマーの設定のために使用されている。しかしながら、本発明の実施の形態はこれに限らない。例えば、左右方向に並んで配置される第１および第２の加熱部１８Ａ、１８Ｂの後方に、第３の加熱部を有し、第３の加熱部の加熱の調節をするために、第３のダイヤル式操作デバイス３２Ｃが使用されてもよい。さらに、グリル庫２２も備えている場合には、グリル庫２２の加熱の調節と第３の加熱部の加熱の調節のために、第３のダイヤル式操作デバイスが兼用で使用されてもよい。この場合、操作ボタン４６ｃは、グリル庫２２と第３の加熱部の加熱制御を切り替えるためのボタンであってもよいし、あるいは操作パネル３０に、切り替えのためのボタンをさらに追加してもよい。
【００６６】
例えば、誘導加熱調理器が調理対象に対して最適な調理プログラム（加熱温度や加熱時間などの加熱条件を含むプログラム）をユーザに提供するように構成されている場合、複数の中の調理プログラムをユーザが選択するために第１〜第３のダイヤル式操作デバイス３２Ａ〜３２Ｃが使用されてもよい。
【００６７】
例えば、表示デバイスに調理プログラムの名称（例えば、調理対象（材料）の名称など）が表示されている状態で、ユーザがダイヤル式操作デバイスのダイヤルノブを回転させると、表示デバイスに表示されている調理プログラムの名称が他の調理プログラムの名称に変更される。ユーザが所望する調理プログラムの名称が表示デバイスに表示されている状態で、数秒待つと、誘導加熱調理器は、その調理プログラムに基づいて加熱部の加熱またはグリル庫内の温度を制御する。もしくは、ユーザが所望する調理プログラムの名称が表示デバイスに表示されている状態で、ダイヤルノブがユーザによって押されることで、所望の調理プログラムがスタートする仕様でもよい。
【００６８】
また例えば、ダイヤル式操作デバイスは、誘導加熱調理器に組み込まれている時計の時間合わせに使用されてもよい。
【００６９】
さらに、上述の実施の形態の場合、図４に示すように、第１および第２の加熱部１８Ａ、１８Ｂとグリル庫２２それぞれに対して１つずつ表示デバイス５２Ａ〜５２Ｃが設けられている。しかしながら、本発明の実施の形態はこれに限らない。例えば、１つの表示デバイスの表示画面を３つの領域に分け、各領域に第１および第２の加熱部１８Ａ、１８Ｂとグリル庫２２それぞれの情報を表示してもよい。
【００７０】
また、上述の実施の形態では、誘導加熱式の加熱部の数を二つとしたが、三つ以上であってもよい。その場合は、複数の加熱部のうち、最も左側と最も右側に配置される二つの加熱部を第１の加熱部１８Ａ、第２の加熱部１８Ｂとして本実施の形態を適用してもよい。誘導加熱調理器の左右端部に配置される加熱部上方には、長い柄を有する調理容器が載置されることが多い。したがって本実施の形態の構成により調理容器とダイヤルノブとの接触の可能性を低減することで、ユーザの使用性が向上する。
【００７１】
すなわち、本発明の実施の形態に係る誘導加熱調理器は、広義には、筐体と、前記筐体の上側に配置され、調理容器が載置される載置面を備えるトッププレートと、前記トッププレートの外周縁を保持し、前記筐体に取り付けられ、且つ前側部が前記トッププレートの載置面に比べて高い位置から前方に向かって下がる傾斜面である頂面を備えるトップフレームと、前記トッププレートの下方に左右方向に並んで配置されるように前記筐体に収容され、前記調理容器を誘導加熱する第１および第２の加熱部と、前記トップフレームにおける前記頂面上に配置されるダイヤルノブをそれぞれ備え、前記第１および第２の加熱部それぞれの加熱を調節するための第１および第２のダイヤル式操作デバイスと、を有する。
【産業上の利用可能性】
【００７２】
本発明は、加熱コイルなどの加熱部が左右方向に並んでいる誘導加熱調理器に適用可能である。
【符号の説明】
【００７３】
１０    誘導加熱調理器
１２    筐体
１４    トッププレート
１４ａ  載置面
１６    トップフレーム
１６ａ  前側部
１６ｂ  頂面
１８Ａ  第１の加熱部
１８Ｂ  第２の加熱部
３２Ａ  第１のダイヤル式操作デバイス
３２Ｂ  第２のダイヤル式操作デバイス
３４    ダイヤルノブ
【図１】
2020123541.tif 000003
【図２】
2020123541.tif 000004
【図３】
2020123541.tif 000005
【図４】
2020123541.tif 000006
【図５】
2020123541.tif 000007
【図６】
2020123541.tif 000008
【図７】
2020123541.tif 000009
【図８】
2020123541.tif 000010